(57)【要約】【課題】  各色の分版データについて、ヌキ、ノセ、トラッピング等についての検版作業を迅速かつ正確に行うことを可能とする検版装置、検版方法等を提供する。【解決手段】  検版装置１０１は、任意の２色の分版データをＲＧＢ画像に変換し（ステップ２０１、ステップ２０２）、グレイスケール変換（ステップ２０３）、二値化処理（ステップ２０４）及びＡＮＤ処理（ステップ２０５）を経て、分版データの重複部分を抽出し、当該重複部分を強調処理する（ステップ２０６）。また、検版装置１０１は、ＲＧＢ画像の合成画像に半透明化処理を行い（ステップ２０８、ステップ２０９）、重複部分を強調処理したトラッピング強調画像と合成して、差異強調画像を作成する（ステップ２０７）。【選択図】  図３
2005234251.tif 000002
【特許請求の範囲】
【請求項１】
画像処理を行うことにより検版を行う検版装置であって、
ＲＩＰ処理を経て作成された任意の２色の分版画像に対してそれぞれ色変換処理を行い色変換画像を作成する色変換手段と、
前記色変換画像同士を比較して重複部分を抽出する重複部分抽出手段と、
を具備することを特徴とする検版装置。
【請求項２】
前記重複部分に強調処理を行い強調画像を作成する強調手段と、
前記色変換画像と前記強調画像とを合成して差異強調画像を作成する差異強調画像作成手段と、
を具備することを特徴とする請求項１に記載の検版装置。
【請求項３】
前記重複部分に強調処理を行い強調画像を作成する強調手段と、
前記色変換画像に半透明処理を行い半透明画像を作成する半透明処理手段と、
前記半透明画像と前記強調画像とを合成して差異強調画像を作成する差異強調画像作成手段と、
を具備することを特徴とする請求項１に記載の検版装置。
【請求項４】
前記重複部分抽出手段は、前記色変換画像を二値化処理及びＡＮＤ処理することにより、前記重複部分を抽出することを特徴とする請求項１から請求項３までのいずれかに記載の検版装置。
【請求項５】
前記分版画像の画像データは、網点データあるいは前記網点データをデスクリーニング処理した連続階調データの少なくともいずれかを含むことを特徴とする請求項１から請求項３までのいずれかに記載の検版装置。
【請求項６】
前記色変換処理は、ＲＧＢ変換処理であることを特徴とする請求項１から請求項３までのいずれかに記載の検版装置。
【請求項７】
画像処理を行うことにより検版を行う検版方法であって、
ＲＩＰ処理を経て作成された任意の２色の分版画像に対してそれぞれ色変換処理を行い色変換画像を作成する色変換ステップと、
前記色変換画像同士を比較して重複部分を抽出する重複部分抽出ステップと、
を具備することを特徴とする検版方法。
【請求項８】
前記重複部分に強調処理を行い強調画像を作成する強調ステップと、
前記色変換画像と前記強調画像とを合成して差異強調画像を作成する差異強調画像作成ステップと、
を具備することを特徴とする請求項７に記載の検版方法。
【請求項９】
前記重複部分に強調処理を行い強調画像を作成する強調ステップと、
前記色変換画像に半透明処理を行い半透明画像を作成する半透明処理ステップと、
前記半透明画像と前記強調画像とを合成して差異強調画像を作成する差異強調画像作成ステップと、
を具備することを特徴とする請求項７に記載の検版方法。
【発明の詳細な説明】
【技術分野】
【０００１】
本発明は、画像処理により検版を行う検版装置、検版方法等に関する。より詳細には、ＲＩＰ処理後にインク色毎に分解された分版データの検査を行う検版装置、検版方法等に関する。
【背景技術】
【０００２】
従来、フィルムから版に焼き付けるアナログ刷版工程では、殖版フィルムを校正用プルーフとして使用し、アオリ作業や重ね合せ作業を行うことにより、版出力の前に、ヌキ・ノセ、トラッピングの不良検査を行う。
一方、ＣＴＰ（Ｃｏｍｐｕｔｅｒ  Ｔｏ  Ｐｌａｔｅ）の場合、フィルムレスであるので、ＲＩＰ処理（Ｒａｓｔｅｒ  Ｉｍａｇｅ  Ｐｒｏｃｅｓｓｏｒ）の結果が版を出力するまで、刷版データを確認することができない。
【０００３】
そこで、ＲＩＰ処理後の刷版データを旧バージョンのデータと比較することによって製版の変更箇所を確認して不良を検出するデジタル検版装置が提案されている（例えば、［特許文献１］参照。）。
また、試し刷りをすることなく不良を検出する検版システムが提案されている（例えば、［特許文献２］参照。）。
また、初校と再校との相違を容易に把握することができる検版装置が提案されている（例えば、［特許文献３］、［特許文献４］、［特許文献５］参照。）。
【０００４】
また、トラッピングが不完全な部分を強調色で印刷する画像検査装置及び検査結果シートが提案されている（例えば、［特許文献６］参照。）。
また、閾値を設定して差分処理を行い、重なり合った部分を強調表示する画像検証装置が提案されている（例えば、［特許文献７］参照。）。
また、２つの画像の濃度値に応じてトラッピング領域を作成する画像データ処理方法が提案されている（例えば、［特許文献８］参照。）。
また、刷版データと校了紙を比較する装置も市販されている
【０００５】
【特許文献１】特許第２８１６０９１号公報
【特許文献２】特開平１０−２０４８２号公報
【特許文献３】特開２０００−２９１９６号公報
【特許文献４】特開２０００−２９１９７号公報
【特許文献５】特開２０００−２９１９８号公報
【特許文献６】特開２０００−２４６８６２号公報
【特許文献７】特開平０９−２６５５４５号公報
【特許文献８】特開平０９−１０６４５０号公報
【発明の開示】
【発明が解決しようとする課題】
【０００６】
しかしながら、従来の技術では、刷版データが適正であるか否かを確認することができるが、分版データではないため、トラッピング等の各分版データ間の事実関係を確認することが困難であるという問題点がある。
また、従来の技術では、分版データを重ね合わせて擬似的にヌキ・ノセの事実関係を確認することはできても、トラッピング部分について確認することができないという問題点がある。
【０００７】
本発明は、以上の問題点に鑑みてなされたものであり、各色の分版データについて、ヌキ、ノセ、トラッピング等についての検版作業を迅速かつ正確に行うことを可能とする検版装置、検版方法等を提供することを目的とする。
【課題を解決するための手段】
【０００８】
前述した目的を達成するために第１の発明は、画像処理を行うことにより検版を行う検版装置であって、ＲＩＰ処理を経て作成された任意の２色の分版画像に対してそれぞれ色変換処理を行い色変換画像を作成する色変換手段と、前記色変換画像同士を比較して重複部分を抽出する重複部分抽出手段と、を具備することを特徴とする検版装置である。
【０００９】
第１の発明の検版装置は、ＲＩＰ処理を経て作成された任意の２色の分版画像に対してそれぞれ色変換処理を行い色変換画像を作成し、この色変換画像同士を比較して重複部分を抽出する。
重複部分の抽出には種々の手段を用いることができるが、例えば、色変換画像を二値化処理してＡＮＤ処理することにより重複部分を抽出したり、あるいは、色変換画像同士を差分処理することにより重複部分を抽出することができる。
また、検版装置は、重複部分に強調処理を行い強調画像を作成し、色変換画像と重複部分の強調画像との合成処理を行い差異強調画像を作成する。
尚、色変換画像に半透明処理を行い半透明画像を作成し、この半透明画像と重複部分の強調画像とを合成することにより、差異強調画像を作成するようにしてもよい。
【００１０】
分版画像は、分版データが示す画像である。分版データは、ＲＩＰ処理装置等において作成される。ＲＩＰ処理装置は、ＲＩＰ処理により編集データを画像データに展開し、インク色毎（Ｃｙａｎ、Ｍａｇｅｎｔａ、Ｙｅｌｌｏｗ、特色等）に分解出力することにより、分版データを作成する。分版データとしては、ビットマップデータにスクリーニング処理を施した網点データ、網点データにデスクリーニング処理を施した連続階調データ等を用いることができる。
また、色変換処理は、分版画像の色を変換する処理であり、例えば、インク色に基づく表色系（ＣＭＹＫ表色系等）からディスプレイ画面表示に基づく表色系（ＲＧＢ表色系等）に変換する処理である。
【００１１】
第１の発明では、検版装置は、各色の分版データの重複部分（重なり部分）を抽出して強調表示するので、フィルム出力あるいは試し刷りを行うことなく、ディスプレイ等の表示装置の画面上で各色の版同士のアオリ検査を行うことができる。
また、検版装置は、抽出した重複部分を分版データの画像と合成して表示するので、各色の分版データにおける重複部分の位置等を迅速に把握することができる。
従って、検版装置は、各色の分版データについて、ヌキ、ノセ、トラッピング等についての検版作業を迅速かつ正確に行うことができ、また、ＣＴＰ（Ｃｏｍｐｕｔｅｒ  Ｔｏ  Ｐｌａｔｅ）における校正作業を効率的に行うことができる。
【００１２】
第２の発明は、画像処理を行うことにより検版を行う検版方法であって、ＲＩＰ処理を経て作成された任意の２色の分版画像に対してそれぞれ色変換処理を行い色変換画像を作成する色変換ステップと、前記色変換画像同士を比較して重複部分を抽出する重複部分抽出ステップと、を具備することを特徴とする検版方法である。
第２の発明は、第１の発明の検版装置が実行する検版方法に関する発明である。
【発明の効果】
【００１３】
本発明によれば、各色の分版データについて、ヌキ、ノセ、トラッピング等についての検版作業を迅速かつ正確に行うことを可能とする検版装置、検版方法等を提供することができる。
【発明を実施するための最良の形態】
【００１４】
以下、添付図面を参照しながら、本発明の実施の形態に係る検版装置、検版方法等の好適な実施形態について詳細に説明する。なお、以下の説明及び添付図面において、略同一の機能構成を有する構成要素については、同一の符号を付することにより重複説明を省略することにする。
【００１５】
（１．検版装置１０１の概略構成）
最初に、図１を参照しながら、本発明の実施の形態に係る検版装置１０１の構成について説明する。
図１は、検版装置１０１の概略構成図である。
【００１６】
検版装置１０１は、ＲＩＰ処理装置１０２等とネットワーク１０３を介して接続される。
検版装置１０１は、Ｃ（シアン）、Ｍ（マゼンタ）、Ｙ（イエロ）、Ｂｋ（ブラック）の色割合に基づいてカラー変換した画像を用いてＡＮＤ処理、差分処理を行い任意の２色のヌキ・ノセ・トラッピングの事実関係を強調する画像を作成する。
【００１７】
ＲＩＰ処理装置１０２は、ＲＩＰ処理（Ｒａｓｔｅｒ  Ｉｍａｇｅ  Ｐｒｏｃｅｓｓｉｎｇ）を行う装置であり、編集装置（図示しない）から送られる編集データを画像データに変換する。
また、ＲＩＰ処理装置１０２は、出力装置（図示しない）の解像度、特性に応じて画像データを作成するが、必要に応じて、スクリーニングを行って網点データ、網点データにデスクリーニング処理を施した連続階調データ等を作成する。
尚、網点データ、連続階調データ等については、検版装置１０１側で作成するようにしてもよい。
【００１８】
ネットワーク１０３は、ＬＡＮ（ローカルエリアネットワーク）等のネットワークであり、有線無線を問わない。
検版装置１０１及びＲＩＰ処理装置１０２は、ネットワーク１０３を介して、処理用データの授受を行う。
【００１９】
検版装置１０１は、例えば、コンピュータ及び当該コンピュータを検版装置１０１として動作させるプログラム等により構成することができる。
図１に示す検版装置１０１は、演算制御部１０４、記憶部１０５、操作部１０６、表示部１０７等がシステムバス１０８を介して互いに接続されて構成される。
尚、図１に示す検版装置１０１の構成は一例であり、用途、目的に応じて様々な構成を採ることが可能である。
【００２０】
演算制御部１０４は、ＣＰＵ１０９、ＲＡＭ及びＲＯＭ等のメモリ１１０等を備える。
演算処理部１０４は、ＣＰＵ１０９により、記憶部、ＲＯＭ、記録媒体等に格納される実行プログラム、ＯＳ（オペレーションシステム）のプログラム、アプリケーションプログラム等をメモリ１１０に呼び出して実行し、演算処理（四則演算や比較演算等）、ハードウェアやソフトウェアの動作制御等を行い、後述する各種機能（図２及び図３参照。）を実現する。
【００２１】
記憶部１０５は、ハードディスク等の記憶装置であり、ＯＳ１１１、アプリケーション１１２、網点データ、連続階調データ、ＲＧＢ画像（アオリ画像）、差異強調画像等の画像データ１１３を保持する。
操作部１０６は、マウス１１４、キーボード１１５等の入力手段であり、オペレータは、操作部１０６を介して、版の指定、操作指示等を行う。
表示部１０７は、ディスプレイ１１６等の表示手段であり、重複部分の画像、差異強調画像等を表示する。
【００２２】
（２．検版装置１０１の動作）
次に、図２及び図３を参照しながら、本発明の実施の形態に係る検版装置１０１の動作について説明する。
図２は、検版装置１０１の動作を示すフローチャートである。
図３は、検版装置１０１における処理の概略を示す図である。
【００２３】
検版装置１０１は、記憶部１０５に格納するプログラム（アプリケーションのプログラム、ＯＳのプログラム等）をメモリ１１０上にロードしてＣＰＵ１０９の制御の下に以下の各ステップを実行する。
【００２４】
検版装置１０１は、ＲＩＰ処理装置から分版データ［網点データ３０１（Ｃｙａｎ）、網点データ３０２（Ｍａｇｅｎｔａ）］を読み込み、記憶部１０５に保持する（ステップ２０１）。
検版装置１０１は、任意の２色の分版データを取り出し、共に、ＲＧＢ画像［ＲＧＢ画像３０３、ＲＧＢ画像３０４］に変換する（ステップ２０２）。
【００２５】
検版装置１０１は、ＲＧＢ画像をグレイスケール画像［グレイスケール画像３０５、グレイスケール画像３０６］に変換し（ステップ２０３）、グレイスケール画像を二値化処理し［二値化画像３０７、二値化画像３０８］（ステップ２０４）、二値化画像をＡＮＤ処理して２色の分版データの重なり部分である重複部分を抽出し［ＡＮＤ画像３０９］（ステップ２０５）、重複部分に強調処理を行いトラッピング強調画像［トラッピング強調画像３１０］を作成する（ステップ２０６）。
【００２６】
図３に示すように、ＡＮＤ画像３０９では、２色の分版データの重なり部分が重複部分３１４として抽出される。
また、図３に示すように、強調画像３１０では、重複部分３１５が強調処理される。
【００２７】
検版装置１０１は、ステップ２０１〜ステップ２０２において作成したＲＧＢ画像［ＲＧＢ画像３０３、ＲＧＢ画像３０４］を合成して合成画像［合成画像３１２］を作成し（ステップ２０８）、合成画像に半透明化処理を行い半透明合成画像［半透明合成画像３１３］を作成する（ステップ２０９）。
検版装置１０１は、トラッピング強調画像と半透明合成画像とを合成して差異強調画像［差異強調画像３１１］を作成する（ステップ２０７）。
【００２８】
以上の過程を経て、検版装置１０１は、任意の２色の分版データをＲＧＢ画像に変換し、二値化処理及びＡＮＤ処理を経て、分版データの重複部分を抽出する。また、検版装置１０１は、ＲＧＢ画像の合成画像に半透明化処理を行い、重複部分を強調処理したトラッピング強調画像と合成して、差異強調画像を作成する。
【００２９】
（３．効果）
以上、詳細に説明したように、検版装置１０１は、各色の分版データの重複部分（重なり部分）を抽出して強調表示するので、フィルム出力あるいは試し刷りを行うことなく、ディスプレイ等の表示装置の画面上で各色の版同士のアオリ検査を行うことができる。
また、検版装置１０１は、抽出した重複部分を分版データの画像と合成して表示するので、各色の分版データにおける重複部分の位置等を迅速に把握することができる。
【００３０】
従って、検版装置１０１は、各色の分版データについて、ヌキ、ノセ、トラッピング等についての検版作業を迅速かつ正確に行うことができ、また、ＣＴＰ（Ｃｏｍｐｕｔｅｒ  Ｔｏ  Ｐｌａｔｅ）における校正作業を効率的に行うことができる。
【００３１】
（４．変形）
上述の実施の形態では、検版装置は、ＲＧＢ画像を二値化処理してＡＮＤ処理することにより重複部分を抽出するものとして説明したが、これに限られず、例えば、ＲＧＢ画像同士を差分処理することにより重複部分を抽出することができる。
【００３２】
また、検版装置は、重複部分を抽出した後、ラベリング処理を行い、当該重複部分の面積あるいは当該重複部分の帯幅を算出し、算出した重複部分の面積が所定の面積より大きい場合、あるいは、重複部分の帯幅が所定の帯幅より大きい場合、トラッピング不良として、その旨を表示装置上に警告表示するようにしてもよい。この場合、オペレータは、検版装置が警告を行った場合にのみ差異強調画像を確認すればよいので、効率的に検版作業を行うことができ、検版に係る労力的負担を軽減することができる。
【００３３】
また、検版装置は、独立して構成されるものとして説明したが、ＲＩＰ処理装置等他の装置と一体として構成するようにしてもよい。
また、図２及び図３に示す処理を行うプログラムをＣＤ−ＲＯＭ等の記録媒体に保持させて流通させてもよいし、このプログラムを通信回線を介して送受することもできる。
【００３４】
以上、添付図面を参照しながら、本発明にかかる検版装置、検版方法等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００３５】
【図１】検版装置１０１の概略構成図
【図２】検版装置１０１の動作を示すフローチャート
【図３】検版装置１０１における処理の概略を示す図
【符号の説明】
【００３６】
１０１………検版装置
１０２………ＲＩＰ処理装置
１０３………ネットワーク
１０４………演算制御部
１０５………記憶部
１０６………操作部
１０７………表示部
３０１、３０２………分版データ（網点データ）
３０３、３０４………ＲＧＢ画像
３０５、３０６………グレイスケール画像
３０７、３０８………二値化画像
３０９………ＡＮＤ画像
３１０………トラッピング強調画像
３１１………差異強調画像
３１２………合成画像
３１３………半透明合成画像
３１４………重複部分
３１５………重複部分（強調）
【図１】
2005234251.tif 000003
【図２】
2005234251.tif 000004
【図３】
2005234251.tif 000005